(57)【特許請求の範囲】
【請求項１】
一対の支柱と、この支柱の間に水平に設けられた軸棒と、この軸棒が挿通された長孔が設けられた複数個の物干し部材を有する物干し具であって、各物干し部材はそれぞれ軸棒まわりに回動可能で、且つ、軸棒の長さ方向と長孔の方向とに移動可能となされると共に、前記物干し部材に形成された係合溝が、該支柱の間に前記軸棒と並行に設けられた支持棒に係合されることによって、前記物干し部材が水平に支持されることを特徴とする物干し具。
【請求項２】
前記物干し部材は、幅方向に長孔が穿設された横断面が略小判状の基部から２個の棒状体が並行に突設されると共に、この棒状体の先端が互いに接続され、前記棒状体は長孔の下方に該長孔に直交して穿設された挿入孔にその基端が挿入され、又、係合溝は基部の上面を凹ませて形成されていることを特徴とする請求項１に記載の物干し具。
【発明の詳細な説明】
【技術分野】
【０００１】
本発明は、洗濯物を掛ける物干し部材が折り畳み可能である物干し具に関するものである。
【背景技術】
【０００２】
一般に、衣類やタオル等の洗濯物を掛ける掛け杆が折り畳み可能な物干し具としては、様々なものが提案されている。例えば、枠型本体の前側に配置される掛け杆の枢軸を枠型本体に設けた長孔に嵌挿し、前記枢軸を長孔の端部へ移動させたときに掛け杆と係合し略水平に保持する係止部を枠型本体に設けられた物干し具が提案されている（例えば、特許文献１参照。）。
【０００３】
この物干し具は、掛け杆の枢軸が嵌られた長孔内を移動させ、掛け杆の後ろ側の連杆を、枠型本体の係止部に係合させることによって、掛け杆が水平に支持された展張状態となり、又、その係合を外して逆向きに移動させると、掛け杆を折畳むことができるので、物干し作業時の取り扱いを非常に簡単に行うことができるものである。
【０００４】
【特許文献１】実開昭６１−１２６９９１号公報
【発明の開示】
【発明が解決しようとする課題】
【０００５】
しかしながら、前記の物干し具には次のような問題点があった。すなわち前記掛け杆では、予め衣類やタオル等の洗濯物を掛ける竿やパイプ材等や竿部を一定間隔で設けておく必要があり、掛ける洗濯物が量や重量に合わせて、必要な竿部のみを水平に支持したり、竿部の間隔を離したり、隣接させたりするような調整ができず、その点はで不足があるものであった。
【０００６】
本発明は、前記の如き問題点を解消し、複数個の物干し部材の配置を調節し、効率的に利用できる物干し具を提供せんとするものである。
【課題を解決するための手段】
【０００７】
上記目的を達成するために、本発明は次のような構成としている。
すなわちこの発明に係る物干し具は、一対の支柱と、この支柱の間に水平に設けられた軸棒と、この軸棒が挿通された長孔が設けられた複数個の物干し部材を有する物干し具であって、各物干し部材はそれぞれ軸棒まわりに回動可能で、且つ、軸棒の長さ方向と長孔の方向とに移動可能となされると共に、前記物干し部材に形成された係合溝が、該支柱の間に前記軸棒と並行に設けられた支持棒に係合されることによって、前記物干し部材が水平に支持されることを特徴とするものである。
【発明の効果】
【０００８】
本発明によれば、比較的大きくて重い洗濯物を掛ける場合に、物干し部材を隣接させて、その上から掛ければ、その重量はそれぞれの物干し部材に分散してかかるので、より安定的に洗濯物を掛けることができる。又、洗濯物を物干し部材に掛ける際に、この物干し部材の間隔を適宜調整することができるので、洗濯物をより効率的に掛けることができ、又、乾燥させることができる。
【０００９】
本発明に係る物干し具において、物干し部材は、幅方向に長孔が穿設された横断面が略小判状の基部から２個の棒状体が並行に突設されると共に、この棒状体の先端が互いに接続され、前記棒状体は長孔の下方に該長孔に直交して穿設された挿入孔にその基端が挿入され、又、係合溝は基部の上面を凹ませて形成されるようになされれば、この棒状体に洗濯物を掛けた場合、その基端から挿入孔の上壁部に向かって荷重がかかるが、この上壁部と長孔の底部とは共用されているため、その荷重を長孔の底部全体で受けることになり、該挿入孔が長孔の上部や長孔の側壁部に位置している場合と比べて、棒状体をより支えやすくなされる。
【発明を実施するための最良の形態】
【００１０】
次に、本発明を実施するための最良の形態について図面を参照し、具体的に説明する。
【００１１】
すなわち、図１は本発明に係る物干し具の実施の一形態を示す斜視図、図２は図１の主要部の拡大図、図３は図２の側面図、図４は図２の断面図である。
【００１２】
本形態に係る物干し具Ｐは、図１に示されるように、一対の支柱１と、支柱１の間に設けられた軸棒２と、軸棒２に挿通された物干し部材３と、物干し部材３を水平に支持するために支柱１の間に設けられた支持棒４とから主に構成されている。
【００１３】
先ず、支柱１は、垂直方向に配置されたパイプ材１１と斜め方向に配置された２個のパイプ材１１とが接続部１２を介して組み合わされてなる逆Ｙ字状であり、左右一対に配置されると共に、相対向する接続部１２の間に、軸棒２と支持棒４とが並行に設けられたものである。又、支柱１の上端には継手１３が取付けられ、相対向する継手１３の間に、横桟１４が取付けられ、同様に、支柱１の下端には継手１５が取付けられ、相対向する継手１５の間に横桟１４が取付けられている。この構造によって、物干し具Ｐをより安定的に立設させることができる。
【００１４】
又、それぞれの支柱１の継手１３から斜め上方向に支持パイプ１６が延設され、支持パイプ１６の上端には、上部が開口した受け溝１７を有する受け部１８がそれぞれ設けられ、この受け溝１７に物干竿１９が嵌合され、受け部１８の間に取付けられる。物干竿１９の両端部には、受け溝１７の内径より大径に形成された抜け止めキャップ２０が取付けられると共に、受け溝１７の外側面から物干竿１９に向かって固定ビスが螺入されている。この構造によって、物干竿１９が不用意に抜け出さないようになされる。尚、受け部１８の形態としては、図５の（ａ）及び（ｂ）に示すように、受け溝１７の開口部が塞がれた円筒部となされ、その円筒部の一端から抜け止めキャップ２０が取付けられ、他端から物干竿１９が挿入されて取付けられると共に、前記円筒部から支持パイプ１６が挿入される挿入孔２１が突設されたＴ字状に形成されたものでもよい。図５に示された形態では、支持パイプ１６の先端に係合突起２２が形成され、支持パイプ１６を挿入孔２１に挿入した際、係合突起２２は、挿入孔２１の内側壁を押圧しながら進み、挿入孔２１の係止孔２３の箇所で係止孔２３と係合し、支持パイプ１６が抜け出さないようになされている。
【００１５】
続いて、物干し部材３は、軸棒２が挿通された長孔３１を有する基部３２と、基部３２の一端に、該基部３２の上面を凹ませて形成させた係合溝３３と、基部３２の他端から並行に突設された２個の棒状体３４と、この２個の棒状体３４の先端を接続するカバー材３５とからなり、この係合溝３３は支持棒４と係合されるようになされている。この構造によって、物干し部材３は、軸棒２に対して回動可能で、軸棒２が長孔３１に挿通された範囲内で任意の位置を取れると共に、軸棒２の長さ方向に移動可能となされる。
【００１６】
棒状体３４は、基部３２の側面から長孔３１の下方に長孔３１と直交して穿設された挿入孔３６に、その基端が挿入され、基部３２の側面からそれぞれ突設されるようになされている。本形態では、基部３２の底部から棒状体３４に向かってビスを螺入させ、棒状体３４が抜け出さないようになされているが、接着剤を用いて棒状体３４の基端を挿入孔３６に固着させてもよく、単に、棒状体３４を挿入孔３６に挿入した形態でもよい。
【００１７】
係合溝３３は、基部３２の一端を側壁面として設けられたものであり、開口部の幅は、係合される支持棒４の外径と略同寸法となされ、支持棒４の形状に合わせて略Ｕ字状に形成されたものであり、その深さは支持棒４の直径の半分以上となされている。そして本形態では、前記長孔の中心線に対して係合溝３３の中心を僅か上方に位置せしめ、この係合溝３３を支持棒４に係合させることによって、物干し部材３の棒状体３４が僅か上方に向いた水平状態として配置されると共に、軸棒２に対して垂直に配置されるようになされる。この構造によって、棒状体３４に洗濯物を掛けた際に、棒状体３４が撓んでも、より水平に近い状態を維持することができる。
【００１８】
棒状体３４の先端には、円弧状に形成されたカバー材３５の端部がそれぞれ接続されてＵ字状に形成されている。この構造によって、先端が接続されていない棒状体３４のみ場合や、棒状体３４の先端部が単にカバーキャップで覆われたものに対して、作業者や子供が、棒状体の先端に直接接触することがなくなり、棒状体３４の先端が体に当たったりすることによる怪我等が起こりにくくなり好ましい。又、タオル等をこの２個の棒状体３４に亘って架けることによって、１個の棒状体３４に掛ける場合に比べて、乾きやすくなる。
【００１９】
又、物干し部材３の反対側に配置されるように掛け部材４１が取付けられている。掛け部材４１は、物干し部材３と類似した構造である。すなわち、支持棒４が挿通された長孔４２を有し、支持棒４の両端部にそれぞれ配置された基部４３と、基部４３の一端に形成され、軸棒２と係合する係合溝４４と、基部４３の他端からそれぞれ突設された支持部４５と、支持部４５の間に架けられた物干竿４６とからなる。本形態では、係合溝４４を軸棒２に係合させることによって、掛け部材４１の物干し竿４６が水平に配置されるようになされる。
【００２０】
パイプ材１１、横桟１４、支持パイプ１６、物干竿１９、棒状体３４、及び物干竿４６は、一般にはステンレス合金を筒型に成形したパイプ材を適宜長さに切断した部材からなるものであるが、ステンレス合金以外の金属、例えば、アルミニウム合金や鋼材や、これらの金属を組み合わせたもの、又、これらのパイプ材を合成樹脂で被覆したもの等、必要な強度や剛性に応じて、適宜使用することができる。
【００２１】
基部３２と係合溝３３、及び基部４３と係合溝４４と支持部４５は、一般には、それぞれ合成樹脂から成型されたものであり、この合成樹脂としては、ポリエチレン、ポリプロピレン、ポリスチレン、ポリカーボネート、ポリエチレンテレフタレート、ポリブチレンテレフタレート、ポリフェニレンサルファイド、ポリアミド、ポリウレタン、ＡＢＳ、ＡＡＳ樹脂等を用いることができる。本形態では、基部３２と係合溝３３、及び基部４３と係合溝４４と支持部４５がそれぞれ一体に成型されてなるものであるが、必要に応じて複数個の部材を組み合わせた形態にしてもよい。
【００２２】
次に、本形態に係る物干し具Ｐの組立方法について説明する。先ず、支柱１を左右一対に配置し、その間に、軸棒２、支持棒４、及び横桟１４を架けて物干し具Ｐの骨組みを形成させる。その際、軸棒２には物干し部材３を挿通させ、支持棒４には物干し部材４１を挿通させておく。この状態では、物干し部材３及び物干し部材４１は、自重によって、それぞれの長孔３１、４２を上にして、軸棒２、支持棒４から吊り下げられた状態となる。必要に応じて、物干竿１９を支柱１の上部の受け部１８に渡して取付ける。
【００２３】
続いて、使用する物干し部材３を持ち上げて軸棒２まわりに回動させ水平状態にし、物干し部材３の位置を調整しながら、係合溝３３に支持部４を係合させる。この構造によって、棒状体３４に洗濯物を掛けて下方に荷重がかかった場合、長孔３１に挿通された軸棒２が支軸となって、係止溝３３は上方に移動しようとするが、係止溝３３は支持棒４によって上方への移動を阻止されるため、棒状体３４は水平な状態が保持されるようになされる。
【００２４】
又、棒状体３４の基端が挿入された挿入孔３６は、長孔３１の下方に位置するため、挿入孔３６の側壁部が基部３２から下方に突出していても、外観上は見えにくいので、挿入孔３６を長孔３１の上方に形成された場合と比べ、意匠性が優れている。更に、挿入孔３６の上壁部と長孔３１の底部とは共用されているため、棒状体３４に洗濯物を掛けた場合、その荷重は長孔３１の底部全体で受けることになり、棒状体３４をより支えやすくなされる。加えて、挿入孔３６の底部は、係止溝３３の下方に位置するため、棒状体３４に洗濯物を掛けた時に、棒状体３４の基端にかかる上向きの荷重が、係止溝３３を介して支持棒４に直接的にかかるが、係止溝３３の底部と支持棒４の下部は長さ方向に亘って当接されているので、この荷重は、支持棒４の長さ方向に分散してかかり、より安定的に支えることができる。この構造は、挿入孔３６が長孔３１の上方に形成された場合や、長孔３１の側壁面に形成された場合に比べて、挿入孔３６の基端に荷重が集中しやすい点を考慮すると、より好ましい。
【００２５】
水平状態の物干し部材３の棒状体３４を長さ方向に移動させようとしても、係合溝３３の側壁面が支持棒４によって阻止されるため、物干し部材３の棒状体３４は水平状態をより安定的に保持することができる。更に、本形態では、係止溝３３に支持棒４が係合された際、長孔３２に挿通された軸棒２が、棒状体３４側の側壁面に当接した位置に配置されるようになされている。これによって、棒状体３４の側面に不用意に力が掛かった場合でも、棒状体３４は軸棒２に対して、垂直な配置から位置ずれしにくいようになされる。尚、軸棒２が棒状体３４側の側壁面に当接した状態とは、軸棒２が棒状体３４側の側壁面に接触した状態でもよく、不必要に位置ずれしない程度の隙間が生じている状態でもよい。
【００２６】
そして、使用した後は、物干し部材３の係合溝３３から支持棒４を外せば、物干し部材３は軸棒２に吊り下げられた状態となるので、コンパクトに納めることができる。
【００２７】
掛け部材４１は、物干し部材３と同様な構造を有しているので、物干し部材３と同様な方法で取付けられ、同様な効果が得られる。尚、掛け部材４１の代わりに、物干し部材３を取付けられ、物干し部材３が両側に配置されるようになされてもよい。この際、軸棒２又は支持棒４の少なくとも一方を利用した形態でもよいが、軸棒２及び支持棒４を新たに架けた形態でもよい。
【００２８】
物干し部材３は、洗濯物の量に併せて、必要な分だけを水平に配置することができる。又、軸棒２に沿って移動可能であり、物干し部材３同士の間隔を適宜設定できるとため、洗濯物を干しやすく、又乾きやすくなされる。そして、比較的大きくて重い洗濯物を掛ける場合に、物干し部材３を隣接させて、その上から掛ければ、その重量はそれぞれの物干し部材３に分散してかかるので、より安定的に洗濯物を掛けることができる。更に、比較的丈の長い洗濯物を上部の物干竿１９に掛ける場合、その洗濯物の位置を避けて、物干し部材３を移動させて使用することができるので、洗濯物を効率的に掛けることができる。
【図面の簡単な説明】
【００２９】
【図１】本発明に係る物干し具の実施の一形態を示す斜視図である。
【図２】図１の主要部の拡大図である。
【図３】図２の物干し部材の側面図である。
【図４】図２の物干し部材の上面図である。
【図５】図１の受け部の拡大図であり、（ａ）は正面図、（ｂ）は側面図である。
【符号の説明】
【００３０】
１    支柱
２    軸棒
３    物干し部材
４    支持棒
１２  接続部
３１  長孔
３２  基部
３３  係合溝
３４  棒状体
３５  カバー材
３６  挿入孔
４１  掛け部材
Ｐ    物干し具
【図１】
0004592621.tif 000002
【図２】
0004592621.tif 000003
【図３】
0004592621.tif 000004
【図４】
0004592621.tif 000005
【図５】
0004592621.tif 000006